(57)【特許請求の範囲】
【請求項１】
２線式の伝送路を流れる電流の値を所定の電流範囲を通常の調整範囲として計測値に応じて調整するフィールド機器において、
自己の機器内で生じる各種の異常を検出する異常検出手段と、
この異常検出手段によって異常が検出された場合に、前記通常の調整範囲の上限値を上回るレベルの第１のバーンアウト信号を前記伝送路に出力するのか、前記通常の調整範囲の下限値を下回るレベルの第２のバーンアウト信号を前記伝送路に出力するのかの選択設定を可能とするバーンアウト方向選択設定手段と、
前記異常検出手段によって検出された異常に対して前記第１のバーンアウト信号を出力することができるか否かを判断し、前記第１の出力信号を出力することができないと判断した場合、その異常に対して出力する信号を前記第２のバーンアウト信号とするバーンアウト方向変更手段と
を備えることを特徴とするフィールド機器。
【請求項２】
請求項１に記載されたフィールド機器において、
前記バーンアウト方向変更手段は、
前記異常検出手段によって異常が検出された場合、その異常が前記第１のバーンアウト信号を出力することができない可能性のある種別の異常であるか否かを判別する異常種別判別手段と、
この異常種別判別手段によって前記第１のバーンアウト信号を出力することができない可能性のある種別の異常と判別された場合、その異常に対して出力する信号を前記第２のバーンアウト信号とするバーンアウト信号変更手段と
を備えることを特徴とするフィールド機器。
【請求項３】
請求項１に記載されたフィールド機器において、
前記バーンアウト方向変更手段は、
前記異常検出手段によって異常が検出された場合、前記バーンアウト方向設定手段によるバーンアウト信号の選択設定状態を確認するバーンアウト信号選択設定状態確認手段と、
このバーンアウト信号選択設定状態確認手段によって前記第１のバーンアウト信号を出力する選択設定状態にあることが確認された場合、前記第１のバーンアウト信号を実際に出力することができるか否かをチェックし、前記第１のバーンアウト信号を実際に出力することができなかった場合、その異常に対して出力する信号を前記第２のバーンアウト信号とするバーンアウト信号変更手段と
を備えることを特徴とするフィールド機器。
【請求項４】
２線式の伝送路を流れる電流の値を所定の電流範囲を通常の調整範囲として計測値に応じて調整するフィールド機器において、
自己の機器内で生じる各種の異常を検出する異常検出手段と、
前記異常検出手段によって検出された異常に対して、前記通常の調整範囲の上限値を上回るレベルの第１のバーンアウト信号を前記伝送路に出力することができるか否かを判断し、前記第１のバーンアウト信号を出力することができないと判断した場合、その異常に対して出力する信号を前記通常の調整範囲の下限値を下回るレベルの第２のバーンアウト信号とするバーンアウト方向変更手段と
を備えることを特徴とするフィールド機器。
【発明の詳細な説明】
【技術分野】
【０００１】
この発明は、２線式の伝送路を流れる電流の値を所定の電流範囲（例えば、４〜２０ｍＡ）を通常の調整範囲として計測値に応じて調整するフィールド機器に関するものである。
【背景技術】
【０００２】
従来より、差圧・圧力発信器、電磁流量計、ポジショナなどの２線式の伝送路を用いるフィールド機器にはＣＰＵを搭載して、機器本来の計測機能や制御機能の他に自己の機器内で生じる異常を診断する異常診断機能を有するものが存在する。
【０００３】
例えば、差圧・圧力発信器は、圧力や差圧を受けるとその大きさに応じたアナログ信号を生じるセンサ部と、このセンサ部からのアナログ信号をデジタル信号に変換するＡ／Ｄ変換器と、このＡ／Ｄ変換器から出力されるデジタル信号をサンプリングして圧力・差圧の計測値を求めるＣＰＵと、このＣＰＵが求めたデジタルの計測値を対応する所定の電流範囲（４〜２０ｍＡ）のアナログ信号に変換するＤ／Ａ変換器と、このＤ／Ａ変換器から出力されるアナログ信号を２線式の伝送路に出力する通信部と、２線式の伝送路から得られる４〜２０ｍＡの電流に基づいて自己の機器内の各部への動作電源を生成する電源部などを有している。
【０００４】
この差圧・圧力発信器は、自己の機器内で生じる各種の異常を検出する機能を備えており、この異常の検出は機器内蔵のＣＰＵや異常診断回路によって行われる。この機能によって異常が検出された場合、ＣＰＵは、計測値を出力する際の４〜２０ｍＡの電流範囲（通常の調整範囲）とは異なるレベルの信号をバーンアウト信号として２線の伝送路へ出力する。これにより、２線の伝送路を流れる電流を監視する上位装置（監視装置）へ、自己の機器内で異常が生じたことが通知される。
【０００５】
なお、バーンアウト信号には通常の調整範囲の上限値を上回るレベルのバーンアウトＨ信号と、通常の調整範囲の下限値を下回るレベルのバーンアウトＬ信号とがあり、機器毎に予めどちらか一方のバーンアウト信号が異常検出時の伝送路への出力信号として選択設定される（例えば、特許文献１，２参照）。
【０００６】
図９にバーンアウト信号を出力する際の一般的な処理動作のフローチャートを示す。この場合、ＣＰＵは、自己の機器内で生じる異常が検出されると（ステップＳ１０１）、バーンアウト信号としてバーンアウトＨ信号が設定されているのか、バーンアウトＬ信号が設定されているのかをチェックする（ステップＳ１０２）。
【０００７】
このバーンアウト信号の選択設定は、例えば工場出荷段階において、ディップスイッチなどによって行われる。なお、現場においても、ディップスイッチなどを操作することによって、選択設定することが可能である。
【０００８】
ここで、バーンアウトＨ信号が設定されていれば、その設定されているバーンアウトＨ信号を伝送路に出力する（ステップＳ１０３（図１０参照））。バーンアウトＬ信号が設定されていれば、その設定されているバーンアウトＬ信号を伝送路に出力する（ステップＳ１０４（図１１参照））。
【特許文献１】実公平６−２５０７３号公報
【特許文献２】特開平８−２４７８８１号公報
【特許文献３】実公平６−２４９６０号公報
【発明の開示】
【発明が解決しようとする課題】
【０００９】
しかしながら、このような動作を行うフィールド機器において、自己の機器内で生じる異常には、その生じた異常に起因して、２０ｍＡを超える出力を出すことができないものがある。例えば、Ｄ／Ａ変換器や電源部に異常が生じた場合、伝送路に２０ｍＡを超える出力を出すことができないことがある。
【００１０】
すなわち、異常検出時の伝送路への出力信号としてバーンアウトＨ信号が設定されている場合、Ｄ／Ａ変換器や電源部の異常を検出しても、２０ｍＡを上回るバーンアウトＨ信号を出力することができず、伝送路を流れる電流の値が４〜２０ｍＡの通常の調整範囲内でドリフトしてしまうことがある（図１２参照）。このため、上位の監視装置に自己の機器内での異常を通知することができないという事例が発生し、異常通知を確実に行うことができないという問題が生じていた。
【００１１】
本発明は、このような課題を解決するためになされたもので、その目的とするところは、異常通知の確実性を高めることができるフィールド機器を提供することにある。
【課題を解決するための手段】
【００１２】
このような目的を達成するために本発明は、２線式の伝送路を流れる電流の値を所定の電流範囲を通常の調整範囲として計測値に応じて調整するフィールド機器において、自己の機器内で生じる各種の異常を検出する異常検出手段と、この異常検出手段によって異常が検出された場合に、通常の調整範囲の上限値を上回るレベルの第１のバーンアウト信号（バーンアウトＨ信号）を伝送路に出力するのか、通常の調整範囲の下限値を下回るレベルの第２のバーンアウト信号（バーンアウトＬ信号）を伝送路に出力するのかの選択設定を可能とするバーンアウト方向選択設定手段と、異常検出手段によって検出された異常に対してバーンアウトＨ信号を出力することができるか否かを判断し、バーンアウトＨ信号を出力することができないと判断した場合、その異常に対して出力する信号をバーンアウトＬ信号とするバーンアウト方向変更手段とを設けたものである。
【００１３】
この発明では、検出された異常に対してバーンアウトＨ信号を出力することができるか否かが判断され、バーンアウトＨ信号を出力することができないと判断されると、その異常に対して出力する信号がバーンアウトＬ信号とされる。これにより、バーンアウトＨ信号を出力することができないと判断された異常については、必ずバーンアウトＬ信号が出力されることになり、バーンアウトＨ設定時の異常通知の確実性が高まる。
【００１４】
本発明の一例（第１例）として、バーンアウト方向変更手段として、異常が検出された場合、その異常がバーンアウトＨ信号を出力することができない可能性のある種別の異常であるか否かを判別する異常種別判別手段と、この異常種別判別手段によってバーンアウトＨ信号を出力することができない可能性のある種別の異常と判別された場合、その異常に対して出力する信号をバーンアウトＬ信号とするバーンアウト信号変更手段とを設けることが考えられる。
【００１５】
この第１例では、異常が検出されると、その異常がバーンアウトＨ信号を出力することができない可能性のある種別の異常（例えば、Ｄ／Ａ変換器や電源部の異常）であるか否か判別され、バーンアウトＨ信号を出力することができない可能性のある種別の異常と判別されると、バーンアウトＬ信号が出力される。
【００１６】
なお、この第１例において、バーンアウトＨ信号を出力することができない可能性のある種別の異常でなかった場合には、すなわちバーンアウトＨ信号を出力することができる可能性の高い異常であった場合には、バーンアウト方向選択設定手段によって設定されているバーンアウト信号の設定に従って、バーンアウトＨ信号あるいはバーンアウトＬ信号が出力されることになる。
【００１７】
また、この第１例において、バーンアウトＨ信号を出力することができない可能性のある種別の異常とバーンアウトＨ信号を出力することができる可能性の高い種別の異常とが同時に発生したような場合には、バーンアウトＨ信号を出力することができない可能性のある種別の異常を優先して、バーンアウトＬ信号を出力するようにすればよい。
【００１８】
本発明の別の例（第２例）として、異常が検出された場合、バーンアウト方向設定手段によるバーンアウト信号の選択設定状態を確認するバーンアウト信号選択設定状態確認手段と、このバーンアウト信号選択設定状態確認手段によってバーンアウトＨ信号を出力する選択設定状態にあることが確認された場合、バーンアウトＨ信号を実際に出力することができるか否かをチェックし、バーンアウトＨ信号を実際に出力することができなかった場合、その異常に対して出力する信号をバーンアウトＬ信号とするバーンアウト信号変更手段とを設けることが考えられる。
【００１９】
この第２例では、異常が検出されると、その時のバーンアウト信号の選択設定状態が確認される。ここで、バーンアウトＨ信号を出力する選択設定状態にあれば、バーンアウトＨ信号を実際に出力することができるか否かがチェックされ、バーンアウトＨ信号を実際に出力することができなければ、バーンアウトＬ信号が出力される。
【００２０】
なお、この第２例において、バーンアウトＨ信号を実際に出力することができたものについては、その時のバーンアウト信号の選択設定状態の通り、バーンアウトＨ信号が出力されることになる。また、バーンアウト信号の選択設定状態がバーンアウトＬ信号であれば、その選択設定状態に従って即座にバーンアウトＬ信号が出力されるものとなる。
【００２１】
この第２例では、バーンアウトＨ信号を実際に出力することができるか否かを確認することにより、例えば電力不足でバーンアウトＨ信号を出力することができいような場合でも、代わりバーンアウトＬ信号を出力するようにして、さらに異常通知の確実性を高めることができる。
【００２２】
また、この第２例において、バーンアウトＨ信号を実際に出力することができない異常と実際に出力することができる異常とが同時に発生したような場合には、バーンアウトＨ信号を実際に出力することができない異常を優先して、バーンアウトＬ信号を出力するようにすればよい。
【００２３】
本発明における特徴的な技術は、バーンアウト方向選択設定手段を備えないフィールド機器についても適用することができる。例えば、特許文献３には、異常検出時の伝送路への出力信号の設定をバーンアウトＨ信号のみとしたフィールド機器が示されている。このようなフィールド機器に対しても、異常検出手段によって検出された異常に対して、バーンアウトＨ信号を伝送路に出力することができるか否かを判断し、バーンアウトＨ信号を出力することができないと判断した場合、その異常に対して出力する信号をバーンアウトＬ信号とするバーンアウト方向変更手段を設けることによって、異常通知の確実性を高めることができる。
【００２４】
この場合も、上述した第１例と同様にして、異常が検出された場合、その異常がバーンアウトＨ信号を出力することができない可能性のある種別の異常であるか否かを判別し、バーンアウトＨ信号を出力することができない可能性のある種別の異常であった場合、その異常に対して出力する信号をバーンアウトＬ信号とすることが考えられる。また、上述した第２例と同様にして、異常が検出された場合、バーンアウトＨ信号を実際に出力することができるか否かをチェックし、バーンアウトＨ信号を実際に出力することができなかった場合、その異常に対して出力する信号をバーンアウトＬ信号とすることが考えられる。
【発明の効果】
【００２５】
本発明によれば、検出された異常に対してバーンアウトＨ信号を出力することができるか否かを判断し、バーンアウトＨ信号を出力することができないと判断した場合、その異常に対して出力する信号をバーンアウトＬ信号とするようにしたので、バーンアウトＨ信号を出力することができないと判断した異常についてはバーンアウトＬ信号を出力するようにして、バーンアウトＨ設定時の異常通知の確実性を高めることができるようになる。
【発明を実施するための最良の形態】
【００２６】
以下、本発明を図面に基づいて詳細に説明する。
〔実施の形態１〕
図１はこの発明に係るフィールド機器の一実施の形態の概略を示すブロック図である。
同図において、１００は本発明に係るフィールド機器、２００はこのフィールド機器１００に２線式の伝送路Ｌ（Ｌ１，Ｌ２）を介して接続された上位装置（監視装置）である。この例では、フィールド機器１００を差圧・圧力発信器としている。
【００２７】
フィールド機器１００は、圧力や差圧を受けるとその大きさに応じたアナログ信号を生じるセンサ部１と、このセンサ部１からのアナログ信号をデジタル信号に変換するＡ／Ｄ変換器２と、このＡ／Ｄ変換器２から出力されるデジタル信号をサンプリングして圧力・差圧の計測値を求めるＣＰＵ３と、このＣＰＵ３が求めたデジタルの計測値を対応する所定の電流範囲（４〜２０ｍＡ）のアナログ信号に変換するＤ／Ａ変換器４と、このＤ／Ａ変換器４から出力されるアナログ信号を２線式の伝送路Ｌに出力する通信部５と、２線式の伝送路Ｌから得られる４〜２０ｍＡの電流に基づいて自己の機器内の各部への動作電源Ｖｃｃを生成する電源部６と、異常検出時の伝送路Ｌへの出力信号をバーンアウトＨ信号とするのかバーンアウトＬ信号とするのかの選択設定を可能とするディップスイッチ７と、ＲＯＭ８と、ＲＡＭ９とを備えている。
【００２８】
このフィールド機器１００において、ＣＰＵ３は、ＲＡＭ９にアクセスしながら、ＲＯＭ８に格納されたプログラムに従って動作する。ＲＯＭ８には、Ａ／Ｄ変換器２からのデジタル信号をサンプリングして圧力・差圧の計測値を求めて監視装置２００へ通知する計測値処理プログラムに加え、本実施の形態特有のプログラムとして、自己の機器内で生じる各種の異常を検出して監視装置２００へ通知する異常診断プログラムが格納されている。
【００２９】
なお、図１では、ＣＰＵ３における機能ブロックして、計測値演算部３−１，伝送制御部３−２，異常検出部３−３を示しているが、この計測値演算部３−１，伝送制御部３−２，異常検出部３−３はＣＰＵ３でのプログラムに従う処理機能として実現される。
【００３０】
このＣＰＵ３内の機能ブロックにおいて、計測値演算部３−１は、Ａ／Ｄ変換器２からのデジタル信号をサンプリングして圧力・差圧の計測値を求め、デジタルの計測値としてＤ／Ａ変換器４へ出力する。
【００３１】
異常検出部３−３は、センサ部１，Ａ／Ｄ変換器２，ＣＰＵ３，Ｄ／Ａ変換器４，通信部５および電源部６の出力を監視し、これら各部の異常を自己の機器内で生じる各種の異常として検出する。なお、ＣＰＵ３については、計測値演算部３−１からの出力を監視することによって、ＣＰＵ３自身の異常を診断する。この異常検出部３−３が請求項１に記載の発明にける異常検出手段に対応する。
【００３２】
伝送制御部３−２は、ディップスイッチ７からのバーンアウト信号の選択設定状態を入力とし、このディップスイッチ７からのバーンアウト信号の選択設定状態に従って、異常検出部３−３での異常検出時の伝送路Ｌへの出力信号をバーンアウトＨ信号とするのかバーンアウトＬ信号とするのかを決定し、通信部５へ指示する。また、このバーンアウト信号の決定に際して、異常検出部３−３によって検出された異常に対してバーンアウトＨ信号を出力することができるか否かを判断し、バーンアウトＨ信号を出力することができないと判断した場合、その異常に対する伝送路Ｌへの出力信号をバーンアウトＬ信号とする。この伝送制御部３−２が請求項１に記載の発明におけるバーンアウト方向変更手段に対応し、ディップスイッチ７が請求項１に記載の発明におけるバーンアウト方向選択設定手段に対応する。
【００３３】
〔処理動作の第１例：バーンアウトＨ信号を出力することができない可能性が高いと判断した場合にバーンアウトＬ信号とする例〕
図２に伝送制御部３−２において実行される処理動作の第１例を示す。この処理動作の第１例において、伝送制御部３−２は、異常検出部３−３で異常が検出されると（ステップＳ２０１）、その異常の種別を判別する（ステップＳ２０２）。このステップＳ２０２での異常の種別を判別する処理機能が請求項２に記載の発明における異常種別判別手段に対応する。
【００３４】
ここで、異常の種別がＤ／Ａ変換器４や電源部６の異常であった場合、バーンアウトＨ信号を出力することができない可能性が高いと判断し、その異常に対する伝送路Ｌへの出力信号をバーンアウトＬ信号とする（ステップＳ２０３）。このステップＳ２０３でのバーンアウトＬ信号とする処理機能が請求項２に記載の発明におけるバーンアウト変更手段に対応する。
【００３５】
ステップＳ２０２において、異常の種別がＤ／Ａ変換器４や電源部６の異常でなかった場合、伝送制御部３−２は、バーンアウトＨ信号を出力することができる可能性が高いと判断し、ディップスイッチ７からのバーンアウト信号の選択設定状態に従って（ステップＳ２０４）、バーンアウト信号の出力を行う。
【００３６】
この場合、バーンアウトＨ信号が設定されていれば、伝送路Ｌへの出力信号をバーンアウトＨ信号とし（ステップＳ２０５）、バーンアウトＬ信号が設定されていれば、伝送路Ｌへの出力信号をバーンアウトＬ信号とする（ステップＳ２０６）。
【００３７】
この処理動作の第１例におけるバーンアウトＨ設定時のバーンアウト信号の出力状態のタイムチャートを図３に示す。このタイムチャートからも分かるように、この処理動作の第１例において、Ｄ／Ａ変換器４や電源部６の異常が生じた場合、すなわちバーンアウトＨ信号を出力することができない可能性が高いと判断される異常が生じた場合、必ずバーンアウトＬ信号が出力されることになり、バーンアウトＨ設定時の異常通知の確実性が高まる。
【００３８】
なお、この処理動作の第１例において、バーンアウトＨ信号を出力することができない可能性のある種別の異常とバーンアウトＨ信号を出力することができる可能性の高い種別の異常とが同時に発生した場合には、バーンアウトＨ信号を出力することができない可能性のある種別の異常を優先して、バーンアウトＬ信号を出力するようにする。
【００３９】
〔処理動作の第２例：バーンアウトＨ信号を実際に出力することができないと判断した場合にバーンアウトＬ信号とする例〕
図４に伝送制御部３−２において実行される処理動作の第２例を示す。この処理動作の第２例において、伝送制御部３−２は、異常検出部３−３で異常が検出されると（ステップＳ２０１）、ディップスイッチ７からのバーンアウト信号の選択設定状態を確認する（ステップＳ３０２）。このステップＳ３０２での処理機能が請求項３に記載の発明におけるバーンアウト信号選択設定状態確認手段に対応する。
【００４０】
ここで、ディップスイッチ７からのバーンアウト信号の選択設定状態がバーンアウトＨ信号とされていれば、バーンアウトＨ信号を実際に出力することができるか否かをチェックする（ステップＳ３０３）。
【００４１】
この場合、通信部５に対して伝送路Ｌへの信号の出力を禁止したうえ、計測値演算部３−１へバーンアウトＨ信号に応じた電流値の出力指示を与え、この出力指示に対するＤ／Ａ変換器４の出力値を観察することによって、バーンアウトＨ信号を実際に出力することができるか否かをチェックする。
【００４２】
ステップ３０３において、バーンアウトＨ信号を実際に出力することができなかった場合、伝送制御部３−２は、その異常に対する伝送路Ｌへの出力信号をバーンアウトＬ信号とする（ステップＳ３０４）。すなわち、通信部５へ指示を与え、伝送路ＬにバーンアウトＬ信号を出力する。このステップＳ３０３，Ｓ３０４での処理が請求項３記載の発明におけるバーンアウト信号変更手段に対応する。
【００４３】
ステップＳ３０３において、バーンアウトＨ信号を実際に出力することができた場合、伝送制御部３−２は、ディップスイッチ７からのバーンアウト信号の選択設定状態通り、伝送路Ｌへの出力信号をバーンアウトＨ信号とする（ステップＳ３０５）。
【００４４】
なお、ステップＳ３０２において、ディップスイッチ７からのバーンアウト信号の選択設定状態がバーンアウトＬ信号とされていた場合には、その選択設定状態に従って即座に伝送路Ｌへの出力信号をバーンアウトＬ信号とする（ステップＳ３０６）。
【００４５】
この処理動作の第２例におけるバーンアウトＨ設定時のバーンアウト信号の出力状態のタイムチャートを図５に示す。このタイムチャートからも分かるように、この処理動作の第２例において、バーンアウトＨ信号を実際に出力することができない異常が生じた場合、必ずバーンアウトＬ信号が出力されることになり、バーンアウトＨ設定時の異常通知の確実性が高まる。
【００４６】
この処理動作の第２例では、バーンアウトＨ信号を実際に出力することができるか否かを確認することにより、例えば電力不足でバーンアウトＨ信号を出力することができいような場合でも、代わりバーンアウトＬ信号が出力されるものとなり、さらに異常通知の確実性が高められる。
【００４７】
なお、この処理動作の第２例において、バーンアウトＨ信号を実際に出力することができない異常と実際に出力することができる異常とが同時に発生した場合には、バーンアウトＨ信号を実際に出力することができない異常を優先して、バーンアウトＬ信号を出力するようにする。
【００４８】
〔実施の形態２〕
上述した実施の形態１では、バーンアウトＨ信号とバーンアウトＬ信号との選択設定を可能とするディップスイッチ７を備えたフィールド機器を例にとって説明したが、異常検出時の伝送路への出力信号をバーンアウトＨ信号のみとしたフィールド機器についても実施の形態１で説明した本発明における特徴的な技術を適用することができる。
【００４９】
図６に異常検出時の伝送路への出力信号の設定をバーンアウトＨ信号のみとしたフィールド機器の構成（実施の形態２）を示す。このフィールド機器１０１は、図１に示したフィールド機器１００に設けられていたようなディップスイッチ７を有しておらず、伝送制御部３−２に対して異常検出時の伝送路Ｌへの出力信号としてバーンアウトＨ信号のみが設定されている。
【００５０】
〔処理動作の第１例〕
このフィールド機器１０１における伝送制御部３−２が実行する処理動作の第１例のフローチャートを図７に示す。この場合、伝送制御部３−２は、異常検出部３−３で異常が検出されると（ステップＳ４０１）、その異常の種別を判別する（ステップＳ４０２）。ここで、異常の種別がＤ／Ａ変換器４や電源部６の異常であった場合、バーンアウトＨ信号を出力することができない可能性が高いと判断し、その異常に対する伝送路Ｌへの出力信号をバーンアウトＬ信号とする（ステップＳ４０３）。異常の種別がＤ／Ａ変換器４や電源部６の異常でなかった場合、伝送路Ｌへの出力信号をバーンアウトＨ信号とする（ステップＳ４０４）。
【００５１】
このフィールド機器１０１における伝送制御部３−２が実行する処理動作の第２例のフローチャートを図８に示す。この場合、伝送制御部３−２は、異常検出部３−３で異常が検出されると（ステップＳ５０１）、バーンアウトＨ信号を実際に出力することができるか否かをチェックする（ステップＳ５０２）。ここで、バーンアウトＨ信号を実際に出力することができなかった場合、その異常に対する伝送路Ｌへの出力信号をバーンアウトＬ信号とする（ステップＳ５０３）。バーンアウトＨ信号を出力することができた場合、伝送路Ｌへの出力信号をバーンアウトＨ信号とする（ステップＳ５０４）。
【００５２】
なお、上述した実施の形態１，２では、伝送制御部３−２や異常検出部３−３での処理をＣＰＵ３でのプログラムに従う処理機能として実現するようにしたが、伝送制御部３−２や異常検出部３−３と同様の処理機能を有する異常診断回路を別途設けるようにしてもよい。
【図面の簡単な説明】
【００５３】
【図１】本発明に係るフィールド機器の一実施の形態（実施の形態１）の概略を示すブロック図である。
【図２】このフィールド機器における伝送制御部の処理動作の第１例を示すフローチャートである。
【図３】この処理動作の第１例におけるバーンアウトＨ設定時のバーンアウト信号の出力状態を示すタイムチャートである。
【図４】このフィールド機器における伝送制御部の処理動作の第２例を示すフローチャートである。
【図５】この処理動作の第２例におけるバーンアウトＨ設定時のバーンアウト信号の出力状態を示すタイムチャートである。
【図６】本発明に係るフィールド機器の他の実施の形態（実施の形態２）の概略を示すブロック図である。
【図７】このフィールド機器における伝送制御部の処理動作の第１例を示すフローチャートである。
【図８】このフィールド機器における伝送制御部の処理動作の第２例を示すフローチャートである。
【図９】従来のフィールド機器におけるバーンアウト信号を出力する際の一般的な処理動作のフローチャートである。
【図１０】この一般的な処理動作におけるバーンアウトＨ設定時のバーンアウト信号の出力状態を示すタイムチャートである。
【図１１】この一般的な処理動作におけるバーンアウトＬ設定時のバーンアウト信号の出力状態を示すタイムチャートである。
【図１２】従来のフィールド機器におけるバーンアウトＨ設定時の問題を説明するためのタイムチャートである。
【符号の説明】
【００５４】
１…センサ部、２…Ａ／Ｄ変換器、３…ＣＰＵ、３−１…計測値演算部、３−２…伝送制御部、３−３…異常検出部、４…Ｄ／Ａ変換器、５…通信部、６…電源部、７…ディップスイッチ、８…ＲＯＭ、９…ＲＡＭ、１００，１０１…フィールド機器（差圧・圧力発信器）、２００…上位装置（監視装置）、Ｌ（Ｌ１，Ｌ２）…２線式の伝送路。
【図１】
0005127551.tif 000002
【図２】
0005127551.tif 000003
【図３】
0005127551.tif 000004
【図４】
0005127551.tif 000005
【図５】
0005127551.tif 000006
【図６】
0005127551.tif 000007
【図７】
0005127551.tif 000008
【図８】
0005127551.tif 000009
【図９】
0005127551.tif 000010
【図１０】
0005127551.tif 000011
【図１１】
0005127551.tif 000012
【図１２】
0005127551.tif 000013